(57)【要約】      （修正有）【課題】多数の工具の運搬を容易にする。【解決手段】直方体形状を有し、前面に開口が設けられ、立てた状態で設置可能な工具格納箱本体と、工具格納箱本体の前面の開口を開閉する開閉扉３２と、工具格納箱本体の底部側に背面より後方に突出して設けられ、工具格納箱本体を立てて設置した状態では設置面に接し、工具格納箱本体を背面側に斜めに倒した状態では工具格納箱本体を支持して前後方向に転動可能な一対の固定車輪４０と、工具格納箱本体の上部側の背面より後方に突設された取手４１ａとを備えている。【選択図】図２
2005046627.tif 000002
【特許請求の範囲】
【請求項１】
救助工具が取出し可能に格納された救命用工具格納箱であって、
直方体形状を有し、前面に開口が設けられ、立てた状態で設置可能な工具格納箱本体と、
該工具格納箱本体の前記前面の開口を開閉する開閉扉と、
前記工具格納箱本体の底部側に背面より後方に突出して設けられ、該工具格納箱本体を立てて設置した状態では設置面に接し、該工具格納箱本体を背面側に斜めに倒した状態では該工具格納箱本体を支持して前後方向に転動可能な一対の固定車輪と、
前記工具格納箱本体の上部側の背面より後方に突設された取手とを備えていることを特徴とする搬送式救命用工具格納箱。
【請求項２】
前記工具格納箱本体又は前記開閉扉の内面に取付けられ、雄表面と雌表面とを有し、前記救助工具を巻き込んだ状態で該雄表面と雌表面をクロスさせることにより取付け可能な接着布を備えたことを特徴とする請求項１に記載の搬送式救命用工具格納箱。
【発明の詳細な説明】
【技術分野】
【０００１】
この発明は、救助工具を格納する救命用工具格納箱に関するものである。
【背景技術】
【０００２】
従来は火災や震災等の場合に、消防隊員や救命隊員は消防用工具や救命用工具を例えば、自治会、集会所、工場、作業所、一般可燃物取扱所、マンンション、ホテル、デパ−ト、避難指定場所等の保存場所から災害現場まで持っていくのに、人が箱に詰めて運んだり、車に積んで運んだりしていた。
【発明の開示】
【発明が解決しようとする課題】
【０００３】
しかしながら、箱に詰めて人が運ぶときは、箱に色々な工具を入れると重くなるため、一人では運ぶことが出来ないことがあった。
【０００４】
また、車で運ぶときは、火災現場、震災現場等の災害現場に車が入れないときにはその手前から人が工具を手に持ってバラバラに現場に運ぶため、工具を迅速に運べないという問題点があった。
【０００５】
そこで、この発明は、火災や震災等の災害の場合に、消防隊員や救命隊員が救命用工具を保存場所から災害現場まで一人で簡単に運べるようにした搬送式救命用工具格納箱を提供することを課題としている。
【課題を解決するための手段】
【０００６】
かかる課題を達成するために、請求項１に記載の発明は、救助工具が取出し可能に格納された救命用工具格納箱であって、直方体形状を有し、前面に開口が設けられ、立てた状態で設置可能な工具格納箱本体と、該工具格納箱本体の前記前面の開口を開閉する開閉扉と、前記工具格納箱本体の底部側に背面より後方に突出して設けられ、該工具格納箱本体を立てて設置した状態では設置面に接し、該工具格納箱本体を背面側に斜めに倒した状態では該工具格納箱本体を支持して前後方向に転動可能な一対の固定車輪と、前記工具格納箱本体の上部側の背面より後方に突設された取手とを備えていることを特徴とする。
【０００７】
請求項２に記載の発明は、請求項１に記載の構成に加え、前記工具格納箱本体又は前記開閉扉の内面に取付けられ、雄表面と雌表面とを有し、前記救助工具を巻き込んだ状態で該雄表面と雌表面をクロスさせることにより取付け可能な接着布を備えたことを特徴とする。
【発明の効果】
【０００８】
請求項１に記載の搬送式救命用工具格納箱によれば、直方体形状を有し、前面に開口が設けられ、立てた状態で設置可能な工具格納箱本体と、該工具格納箱本体の前記前面の開口を開閉する開閉扉と、前記工具格納箱本体の底部側に背面より後方に突出して設けられ、該工具格納箱本体を立てて設置した状態では設置面に接し、該工具格納箱本体を背面側に斜めに倒した状態では該工具格納箱本体を支持して前後方向に転動可能な一対の固定車輪と、前記工具格納箱本体の上部側の背面より後方に突設された取手とを備えているので、底部及び底部側に設けられた一対の固定車輪により直立して設置することができると共に、救命用工具格納箱を必要とする場所まで運搬しなければならない場合には、救命用工具格納箱本体の取手を持って、救命用工具格納箱本体を斜めに倒して固定車輪で支持させ、取手を押して一対の固定車輪を転動させ、救命用工具格納箱本体を走行させることにより、工具格納箱を容易かつ迅速に運搬することができるという効果を有する。
【０００９】
しかも、運搬した後、救命用工具格納箱本体の背面を下に、開閉扉を上にして地面から浮かせた状態で設置できることにより、大きく開いた開閉扉と救命用工具格納箱本体から工具を容易に取り出すことができる。
【００１０】
請求項２に記載の搬送式救命用工具格納箱によれば、工具格納箱本体又は開閉扉の内面に取付けられ、雄表面と雌表面とを有し、救助工具を巻き込んだ状態で該雄表面と雌表面をクロスさせることにより取付け可能な接着布を備えているので、工具の取り外しが容易である。
【発明を実施するための最良の形態】
【００１１】
以下、この発明の実施の形態について説明する。
【００１２】
図１は本発明の実施の形態に係る救命用工具格納箱の正面図、図２は同救命用工具格納箱の右側面図、図３は同救命用工具格納箱の背面図、図４は同救命用工具格納箱の平面図、図５は同救命用工具格納箱の底面図、図６は同救命用工具格納箱の扉を開いた状態を示す正面図、図７は同救命用工具格納箱に取り付けられた接着布を示す正面図、図８は同救命用工具格納箱に取り付けられた接着布を示す平面図、図９は同接着布により工具を取り付けた状態を示す説明図である。
【００１３】
この実施の形態の救命用工具格納箱は、地震災害による避難路の障害物除去と潰れた建物下より人命救助や、地震・火災時のドアの開閉等の救助を目的としたもので、町会、自治会、避難指定場所、マンション、デパ−ト、ス−パ−、ホテル等の保存場所に設置されるものである。
【００１４】
図において、３１は例えば高さが１１００ｍｍ、幅が５００ｍｍ、奥行が３００ｍｍで、縦長の四角い救命用工具格納箱本体、３２は救命用工具格納箱本体３１に蝶番３３で取り付けられ、救命用工具格納箱本体３１の前面開口を閉止する開閉扉である。
【００１５】
３４は救命用工具格納箱本体３１の天面部３１ａの背面側に取り付けられたステンレス製の取手、３５は救命用工具格納箱本体３１の底面部３１ｂの前面側の両側にそれぞれ取り付けられたゴム脚、３６は開閉扉３２の側部寄りに設けられた開閉用取手、３７は開閉扉３２を閉止するパッチン錠、３８は開閉扉３２の上部と下部にそれぞれ６つずつ設けられた空気抜穴である。
【００１６】
また、救命用工具格納箱本体３１の背面に逆Ｕ字状の車輪取り付け用フレ−ム３９が設けられており、その車輪取り付け用フレ−ム３９に一対の車輪４０が取り付けられている。また、その車輪取り付け用フレ−ム３９には先端に取手４１ａを有する支持キャスタ−４１が取り付けられている。
【００１７】
更に、救命用工具格納箱本体３１内の左側上部には上棚４２と下棚４３が設けられており、その上棚４２にロ−プ４４が載せられ、その下棚４３に油圧ジャッキ４５と工具箱４６が載置されている。その工具箱には折込鋸、クリッパ−、カッタ−、平バ−ル、金鋸、片手ハンマ−、ロ−プ掛けＵフックが入っている。また、その上棚４２の壁に投光器４７が取り付けられている。
【００１８】
また、救命用工具格納箱本体３１内の左側下部には奥に発電機４８、手前に防水型コ−ド４９が載置されている。
【００１９】
更に、救命用工具格納箱本体３１及び開閉扉３２の内面には、接着布で形成された工具取付部材である一対の接着布２０が多数取り付けられている。この一対の接着布２０はその端部がそれぞれステンレス製の座金２１を介してブラインドリベット２２で回転自在に救命用工具格納箱本体３１及び開閉扉３２の内面に取り付けられている。そして、一方の接着布２０は雌表面が表に現れるように取り付けられており、他方の接着布２０は雄表面が表に現れるように取り付けられている。
【００２０】
救命用工具格納箱本体３１内の右側には一対の接着布２０によって右手からショベル５０、平バ−ル５１、ツルハシ５２、荷締機５３がそれぞれ取り付けられている。また、開閉扉３２には一対の接着布２０によって投光器スタンド５４と、玉掛けワイヤロ−プ５５が取り付けられている。
【００２１】
この一対の接着布２０による工具の取り付けは、工具をそれぞれの接着布２０で巻き込み、一方の接着布２０の自由端側の雄表面と他方の接着布２０の自由端側の雌表面とをクロスさせて接着するようにして取り付けている。このように接着布２０の自由端側をクロスさせているのは、工具の取り外しを容易にするためである。
【００２２】
次に、この発明の実施の形態の救命用工具格納箱の使用方法について説明する。
【００２３】
この救命用工具格納箱は、所定の保存場所に設置されている。
【００２４】
その保存場所の近辺で火災や震災が発生したときに、消防隊員や救命隊員は救助のために、現場まで救命用工具格納箱を運ばなければならないが、その救命用工具格納箱内には多数の工具等が格納されているために重い。
【００２５】
そこで、救命用工具格納箱本体３１の底部に設けられた２つのゴム脚３５と救命用工具格納箱本体３１の底部側に設けられた一対の車輪４０とにより直立して設置されている救命用工具格納箱本体３１の取手３４、４１ａを持って、救命用工具格納箱本体３１を斜めに倒して車輪４０で支持させ、取手３４、４１ａを押して一対の車輪４０を転動させ、救命用工具格納箱本体３１を走行させる。
【００２６】
さらに、上述したように支持キャスタ−４１を取り付けたことにより、災害現場近くまで救命用工具格納箱本体３１を運搬した後、救命用工具格納箱本体３１をその背面を下に、開閉扉３２を上にして地面から浮かせた状態で設置できることにより、救命用工具格納箱本体３１及び開いた開閉扉３２から工具を容易に取り出すことができる。
【図面の簡単な説明】
【００２７】
【図１】本発明の実施の形態に係る救命用工具格納箱の正面図である。
【図２】同救命用工具格納箱の右側面図である。
【図３】同救命用工具格納箱の背面図である。
【図４】同救命用工具格納箱の平面図である。
【図５】同救命用工具格納箱の底面図である。
【図６】同救命用工具格納箱の扉を開いた状態を示す正面図である。
【図７】同救命用工具格納箱に取り付けられた接着布を示す正面図である。
【図８】同救命用工具格納箱に取り付けられた接着布を示す平面図である。
【図９】同接着布により工具を取り付けた状態を示す説明図である。
【符号の説明】
【００２８】
２０  接着布
３１  救命工具格納箱本体
３１ａ  天面部
３２  開閉扉
３４、４１ａ  取手
３５  ゴム脚
３９  車輪取り付け用フレ−ム
４０  車輪
【図１】
2005046627.tif 000003
【図２】
2005046627.tif 000004
【図３】
2005046627.tif 000005
【図４】
2005046627.tif 000006
【図５】
2005046627.tif 000007
【図６】
2005046627.tif 000008
【図７】
2005046627.tif 000009
【図８】
2005046627.tif 000010
【図９】
2005046627.tif 000011